(57)【要約】【課題】ロール紙の幅方向に配列される磁気データが記録される券が発行される場合であっても、ロール紙が搬送される搬送路の長さを短縮することが可能な発券装置を提供する。【解決手段】発券装置１は、ロール紙３を回転可能に保持するロール紙保持部４と、ロール紙保持部４から発券口５に向かってロール紙３を搬送するロール紙搬送機構６と、ロール紙３の搬送経路上に配置されロール紙３に磁気データを記録する磁気ヘッド１４と、ロール紙３の搬送方向に直交するロール紙３の幅方向へ磁気ヘッド１４を移動させるヘッド移動機構１５と、ロール紙３の搬送経路上に配置され磁気ヘッド１４によって磁気データが記録された後のロール紙３を切断する切断機構１６とを備えている。【選択図】図１
2017199271.tif 000002
【特許請求の範囲】
【請求項１】
ロール紙を回転可能に保持するロール紙保持部と、前記ロール紙保持部から発券口に向かって前記ロール紙を搬送するロール紙搬送機構と、前記ロール紙の搬送経路上に配置され前記ロール紙に磁気データを記録する磁気ヘッドと、前記ロール紙の搬送方向に直交する前記ロール紙の幅方向へ前記磁気ヘッドを移動させるヘッド移動機構と、前記ロール紙の搬送経路上に配置され前記磁気ヘッドによって磁気データが記録された後の前記ロール紙を切断する切断機構とを備えることを特徴とする発券装置。
【請求項２】
前記ロール紙搬送機構は、前記切断機構による前記ロール紙の切断後に、前記ロール紙を前記ロール紙保持部側に巻き戻すことを特徴とする請求項１記載の発券装置。
【請求項３】
巻戻し後の前記ロール紙の所定の位置にたるみが生じていることを特徴とする請求項２記載の発券装置。
【請求項４】
前記ロール紙搬送機構および前記切断機構は、長辺方向の幅が前記ロール紙の幅と等しい長方形状の券が形成されるように前記ロール紙を搬送して切断することを特徴とする請求項１から３のいずれかに記載の発券装置。
【請求項５】
前記ロール紙の搬送方向において前記ロール紙保持部と前記磁気ヘッドとの間、または、前記磁気ヘッドと前記切断機構との間に配置されるとともに前記ロール紙搬送機構による搬送動作に伴って前記ロール紙に磁気データを記録する第２の磁気ヘッドを備え、
長辺方向の幅が前記ロール紙の幅と等しい長方形状の券と、短辺方向の幅が前記ロール紙の幅と等しい長方形状の券とを発行することを特徴とする請求項１から３のいずれかに記載の発券装置。
【請求項６】
前記ロール紙搬送機構および前記切断機構は、前記磁気ヘッドによって前記ロール紙に磁気データが記録されると、長辺方向の幅が前記ロール紙の幅と等しい長方形状の前記券が形成されるように前記ロール紙を搬送して切断し、前記第２の磁気ヘッドによって前記ロール紙に磁気データが記録されると、短辺方向の幅が前記ロール紙の幅と等しい長方形状の前記券が形成されるように前記ロール紙を搬送して切断することを特徴とする請求項５記載の発券装置。
【請求項７】
前記ロール紙搬送機構は、前記切断機構で切断された後の前記券の、前記ロール紙の幅方向における一端側に接触して前記券を前記発券口まで搬送する切断後搬送部を備え、
前記切断後搬送部の一部は、前記発券口よりも前記発券装置の前側に突出する突出部の中に配置されていることを特徴とする請求項４から６のいずれかに記載の発券装置。
【発明の詳細な説明】
【技術分野】
【０００１】
本発明は、自動券売機等に組み込まれて使用される発券装置に関する。
【背景技術】
【０００２】
従来、電車やバス等の交通機関で用いられる乗車券を発行する自動券売機が知られている（たとえば、特許文献１参照）。特許文献１に記載の自動券売機は、ロール紙が取り付けられる回転軸および搬送路にロール紙を供給するフィードローラを有する給紙部と、給紙部から供給されるロール紙を切断するカッターと、給紙部からカッターに向かってロール紙を搬送する駆動ローラおよび搬送ローラとを備えている。
【０００３】
また、特許文献１に記載の自動券売機は、カッターで切断された券紙をカッターから発券口に向かって搬送する複数の搬送ローラと、カッターで切断された券紙に文字情報を印字するサーマルヘッドと、搬送ローラによって搬送される券紙に磁気データを記録する記録ヘッドおよび記録ヘッドで記録された磁気データをベリファイリードする読取ヘッドを備える磁気ヘッドとを備えている。この自動券売機では、ロール紙から切断された券紙に、ロール紙の幅方向に配列される磁気データが記録されるため、文字情報が印字された券紙を９０°回転させる反転部が、サーマルヘッドと磁気ヘッドとの間に設置されている。
【０００４】
なお、特許文献１に記載の自動発券機で発行される乗車券は、一般に、長方形状に形成されており、乗車券には、長方形状に形成される乗車券の長手方向（長辺方向）に沿って配列される磁気データが記録されている。そのため、特許文献１に記載の自動発券機においてロール紙から切断された券紙は、ロール紙の幅方向を長手方向とする長方形状に形成されており、記録ヘッドで磁気データが記録される前に９０°回転させられる。
【先行技術文献】
【特許文献】
【０００５】
【特許文献１】特開平９−６９９６号公報
【発明の概要】
【発明が解決しようとする課題】
【０００６】
特許文献１に記載の自動券売機では、ロール紙から切断された券紙にロール紙の幅方向に配列される磁気データが記録されるため、サーマルヘッドと磁気ヘッドとの間に反転部が設置されている。したがって、この自動券売機では、反転部が設置されている分、給紙部から発券口までの搬送路の長さが長くなる。
【０００７】
そこで、本発明の課題は、ロール紙の幅方向に配列される磁気データが記録される券が発行される場合であっても、ロール紙が搬送される搬送路の長さを短縮することが可能な発券装置を提供することにある。
【課題を解決するための手段】
【０００８】
上記の課題を解決するため、本発明の発券装置は、ロール紙を回転可能に保持するロール紙保持部と、ロール紙保持部から発券口に向かってロール紙を搬送するロール紙搬送機構と、ロール紙の搬送経路上に配置されロール紙に磁気データを記録する磁気ヘッドと、ロール紙の搬送方向に直交するロール紙の幅方向へ磁気ヘッドを移動させるヘッド移動機構と、ロール紙の搬送経路上に配置され磁気ヘッドによって磁気データが記録された後のロール紙を切断する切断機構とを備えることを特徴とする。
【０００９】
本発明の発券装置は、ロール紙の搬送方向に直交するロール紙の幅方向へ磁気ヘッドを移動させるヘッド移動機構を備えている。そのため、本発明では、特許文献１に記載の自動発券機のように反転部が設置されていなくても、ロール紙の幅方向に配列される磁気データをロール紙に記録することが可能になる。したがって、本発明では、ロール紙の幅方向に配列される磁気データが記録される券が発行される場合であっても、ロール紙が搬送される搬送路の長さを短縮することが可能になる。
【００１０】
また、本発明では、切断機構は、磁気データが記録された後のロール紙を切断している。そのため、本発明では、切断機構で切断されて形成される券の、ロール紙の搬送方向の幅が狭くても（長さが短くても）、磁気ヘッドでロール紙に磁気データを記録するときには、ロール紙搬送機構によってロール紙を確実に把持することが可能になり、その結果、磁気ヘッドでロール紙に磁気データを記録するときのロール紙のずれを抑制することが可能になる。したがって、本発明では、磁気ヘッドによってロール紙に記録される磁気データの記録位置のずれを抑制することが可能になる。すなわち、本発明では、発券口から発行される券の、磁気データの記録位置のずれを抑制することが可能になる。
【００１１】
本発明において、ロール紙搬送機構は、切断機構によるロール紙の切断後に、ロール紙をロール紙保持部側に巻き戻すことが好ましい。このように構成すると、切断機構で切断された後のロール紙の先端側を磁気ヘッドの配置位置まで戻してからロール紙に磁気データを記録することが可能になるため、磁気ヘッドよりも発券口側に切断機構が配置されていても、ロール紙を無駄なく使用することが可能になる。また、このように構成すると、ロール紙を巻き戻す際に所定の制御を行うことで、ロール紙の先端側と磁気ヘッドとを精度良く位置合わせすることが可能になる。
【００１２】
本発明において、巻戻し後のロール紙の所定の位置にたるみが生じていることが好ましい。このように構成すると、ロール紙保持部に保持されるロール紙のロール部分の重量が重くても、次の券を発行する際の、ロール紙搬送機構の起動時の負荷を軽減することが可能になる。
【００１３】
本発明において、たとえば、ロール紙搬送機構および切断機構は、長辺方向の幅がロール紙の幅と等しい長方形状の券が形成されるようにロール紙を搬送して切断する。この場合、切断機構で切断されて形成される券の、ロール紙の搬送方向の幅が狭くなるが、本発明では、磁気ヘッドでロール紙に磁気データを記録するときには、ロール紙搬送機構によってロール紙を確実に把持することが可能であり、磁気ヘッドでロール紙に磁気データを記録するときのロール紙のずれを抑制することが可能であるため、ロール紙に記録される磁気データの記録位置のずれを抑制することが可能になる。
【００１４】
本発明において、発券装置は、ロール紙の搬送方向においてロール紙保持部と磁気ヘッドとの間、または、磁気ヘッドと切断機構との間に配置されるとともにロール紙搬送機構による搬送動作に伴ってロール紙に磁気データを記録する第２の磁気ヘッドを備え、長辺方向の幅がロール紙の幅と等しい長方形状の券と、短辺方向の幅がロール紙の幅と等しい長方形状の券とを発行することが好ましい。このように構成すると、特許文献１に記載の自動発券機のように反転部が設置されていなくても、磁気ヘッドによって、長辺方向の幅がロール紙の幅と等しい長方形状の券の磁気データを記録し、第２の磁気ヘッドによって、短辺方向の幅がロール紙の幅と等しい長方形状の券の磁気データを記録することが可能になる。したがって、ロール紙が搬送される搬送路の長さを短縮しつつ、形状の異なる２種類の券を発行することが可能になる。
【００１５】
本発明において、ロール紙搬送機構および切断機構は、磁気ヘッドによってロール紙に磁気データが記録されると、長辺方向の幅がロール紙の幅と等しい長方形状の券が形成されるようにロール紙を搬送して切断し、第２の磁気ヘッドによってロール紙に磁気データが記録されると、短辺方向の幅がロール紙の幅と等しい長方形状の券が形成されるようにロール紙を搬送して切断することが好ましい。このように構成すると、長辺方向の幅がロール紙の幅と等しい長方形状の券が形成される場合、および、短辺方向の幅がロール紙の幅と等しい長方形状の券が形成される場合のいずれの場合であっても、共通の切断機構を用いてロール紙を切断することができる。したがって、発券装置の構成を簡素化することが可能になるとともに、ロール紙が搬送される搬送路の長さをより短縮することが可能になる。
【００１６】
本発明において、ロール紙搬送機構は、切断機構で切断された後の券の、ロール紙の幅方向における一端側に接触して券を発券口まで搬送する切断後搬送部を備え、切断後搬送部の一部は、発券口よりも発券装置の前側に突出する突出部の中に配置されていることが好ましい。このように構成すると、長辺方向の幅がロール紙の幅と等しい長方形状の券が発券口から発行される場合であっても、切断後搬送部に把持された状態の券の全部または大半部分を発券口から露出させることが可能になる。したがって、長辺方向の幅がロール紙の幅と等しい長方形状の券が発券口から発行される場合であっても、使用者は、切断後搬送部に把持された状態の券を掴んで発券装置から引き抜くことが可能になる。
【発明の効果】
【００１７】
以上のように、本発明の発券装置では、ロール紙の幅方向に配列される磁気データが記録される券が発行される場合であっても、ロール紙が搬送される搬送路の長さを短縮することが可能になる。
【図面の簡単な説明】
【００１８】
【図１】本発明の実施の形態にかかる発券装置の概略構成を説明するための側面図である。
【図２】図１に示すロール紙の先端側部分の平面図である。
【図３】図１に示す発券装置で発行される券の平面図である。
【図４】図１に示す磁気ヘッドおよびヘッド移動機構の構成を上面から説明するための図である。
【図５】図１に示す磁気ヘッドおよびヘッド移動機構の構成を正面から説明するための図である。
【図６】本発明の他の実施の形態にかかるロール紙搬送機構の構成を上面から説明するための図である。
【発明を実施するための形態】
【００１９】
以下、図面を参照しながら、本発明の実施の形態を説明する。
【００２０】
（発券装置の構成）
図１は、本発明の実施の形態にかかる発券装置１の概略構成を説明するための側面図である。図２は、図１に示すロール紙３の先端側部分の平面図である。図３は、図１に示す発券装置１で発行される券２の平面図である。図４は、図１に示す磁気ヘッド１４およびヘッド移動機構１５の構成を上面から説明するための図である。図５は、図１に示す磁気ヘッド１４およびヘッド移動機構１５の構成を正面から説明するための図である。
【００２１】
本形態の発券装置１は、自動券売機等に組み込まれて使用される装置である。たとえば、発券装置１は、電車やバス等の交通機関で用いられる券（乗車券）２を発行する自動券売機に組み込まれて使用される。この発券装置１は、ロール紙３を回転可能に保持するロール紙保持部４と、ロール紙保持部４から発券口５に向かってロール紙３を搬送するロール紙搬送機構６とを備えている。ロール紙保持部４と発券口５との間には、ロール紙３が搬送される搬送路７が形成されている。
【００２２】
また、発券装置１は、ロール紙３に所定の文字情報を印字するサーマルヘッド１１と、３個の磁気ヘッド１２〜１４と、磁気ヘッド１４を移動させるヘッド移動機構１５と、ロール紙３を切断する切断機構１６とを備えている。サーマルヘッド１１と磁気ヘッド１２〜１４と切断機構１６とは、ロール紙３の搬送経路上に配置されている。すなわち、サーマルヘッド１１と磁気ヘッド１２〜１４と切断機構１６とは、搬送路７に沿って配置されており、同一の搬送経路上に配置されている。また、サーマルヘッド１１と磁気ヘッド１２と磁気ヘッド１３と磁気ヘッド１４と切断機構１６とは、ロール紙保持部４から発券口５に向かうロール紙３の搬送方向において、ロール紙保持部４から発券口５に向かってこの順番で配置されている。
【００２３】
ロール紙３は、円筒状に巻回されるロール部３ａと、ロール部３ａから引き出された帯状の帯状部３ｂとから構成されている。ロール紙３のおもて面には、文字情報が印字される印字部が形成され、ロール紙３の裏面には、磁気データが記録される磁気ストライプが形成されている。本形態では、ロール紙３のおもて面の全体に印字部が形成され、ロール紙３の裏面の全体に磁気ストライプが形成されている。
【００２４】
本形態の発券装置１は、形状の異なる２種類の券２を発行する。具体的には、発券装置１は、長辺方向の幅Ｈ１がロール紙３の幅Ｈと等しい長方形状の券２（図２、図３（Ａ）参照）と、短辺方向の幅Ｈ２がロール紙３の幅Ｈと等しい長方形状の券２（図２、図３（Ｂ）参照）との２種類の券２を発行する。以下では、図３（Ａ）に示す券２と、図３（Ｂ）に示す券２とを区別して表す場合には、図３（Ａ）に示す券２を「小券２Ａ」とし、図３（Ｂ）に示す券２を「大券２Ｂ」とする。
【００２５】
ロール紙保持部４は、ロール部３ａの内周側に挿通される回転軸１９を備えており、ロール部３ａを回転可能に保持している。回転軸１９は、ロール紙３の搬送方向（すなわち、帯状部３ｂの長手方向）に直交するロール紙３の幅方向と回転軸１９の軸方向とが一致するように、図示を省略する発券装置１のフレームに回転可能に保持されている。ロール部３ａは、回転軸１９に固定されており、回転軸１９は、ロール紙搬送機構６によるロール紙３の搬送動作に伴って回転する。なお、回転軸１９は、モータに連結されていても良い。
【００２６】
ロール紙搬送機構６は、ロール紙保持部４に保持されるロール部３ａから帯状部３ｂを引き出すためのフィードローラ対２０と、フィードローラ対２０によって引き出された帯状部３ｂを搬送する複数の搬送ローラ対２１とを備えている。フィードローラ対２０および搬送ローラ対２１は、図示を省略する駆動機構に連結される駆動ローラと、この駆動ローラに対向配置されるとともに駆動ローラに向かって付勢されるパッドローラとから構成されている。
【００２７】
フィードローラ対２０は、ロール紙３の搬送方向において、サーマルヘッド１１よりもロール紙保持部４側に配置されている。ロール紙保持部４とフィードローラ対２０との間には、フィードローラ対２０へ帯状部３ｂを案内するガイドローラ２２が配置されている。搬送ローラ対２１は、ロール紙３の搬送方向において、サーマルヘッド１１と磁気ヘッド１２との間、磁気ヘッド１３と磁気ヘッド１４との間、磁気ヘッド１４と切断機構１６との間、および、切断機構１６と発券口５との間に配置されている。
【００２８】
サーマルヘッド１１には、対向ローラ２３が対向配置されている。サーマルヘッド１１は、ロール紙３のおもて面の印字部に接触して文字情報を印字する。磁気ヘッド１２、１３は、たとえば、下側から搬送路７に臨むように配置されている。磁気ヘッド１２、１３には、対向ローラ２４が上側から対向配置されている。磁気ヘッド１２は、ロール紙３の裏面の磁気ストライプに接触して磁気データを記録する。磁気ヘッド１３は、磁気ヘッド１２によってロール紙３の磁気ストライプに磁気データが適切に記録されたのか否かを確認するために、ロール紙３の磁気ストライプに接触して磁気ストライプに記録された磁気データを読み取る。
【００２９】
磁気ヘッド１２、１３は、たとえば、板バネ等の付勢部材（図示省略）に取り付けられており、付勢部材の付勢力によって、対向ローラ２４に向かって付勢されている。磁気ヘッド１２、１３は、ロール紙３の搬送方向およびロール紙３の幅方向では動かないようになっている。磁気ヘッド１２による磁気データの記録は、ロール紙搬送機構６による搬送動作に伴って行われ、ロール紙３には、磁気ヘッド１２によってロール紙３の搬送方向に配列される磁気データが記録される。また、磁気ヘッド１３による磁気データの読取りも、ロール紙搬送機構６による搬送動作に伴って行われる。本形態の磁気ヘッド１２は、第２の磁気ヘッドである。
【００３０】
磁気ヘッド１４は、下側から搬送路７に臨むように配置されている。ヘッド移動機構１５は、ロール紙３の幅方向へ磁気ヘッド１４を移動させる。このヘッド移動機構１５は、磁気ヘッド１４が搭載されるキャリッジ２７と、ロール紙３の幅方向へキャリッジ２７を案内するガイド軸２８と、キャリッジ２７をロール紙３の幅方向へ送るリードスクリュー２９と、磁気ヘッド１４を上下動させるためのカム板３０と、ガイド軸２８を中心とするキャリッジ２７の回動を防止するための回動防止軸３１とを備えている。
【００３１】
キャリッジ２７は、キャリッジ本体３２と、磁気ヘッド１４を保持するヘッド保持部材３３とを備えている。キャリッジ本体３２には、リードスクリュー２９に係合するメネジ部材３４と、ガイド軸２８に係合する摺動軸受と、回動防止軸３１に係合する摺動部材３６とが取り付けられている。リードスクリュー２９には、プーリおよびベルトから構成される動力伝達機構３７を介してモータ３８が連結されている。
【００３２】
キャリッジ本体３２には、ヘッド保持部材３３を回動可能に保持する固定軸４１が固定されている。固定軸４１は、固定軸４１の軸方向とロール紙３の幅方向とが一致するように配置されている。キャリッジ本体３２とヘッド保持部材３３との間には、ネジリコイルバネ４２が配置されており、ヘッド保持部材３３は、ネジリコイルバネ４２の付勢力によって、固定軸４１を中心にして、磁気ヘッド１４が上昇する方向へ付勢されている。カム板３０は、ロール紙３の幅方向に細長い長尺状に形成されている。ロール紙３の幅方向におけるカム板３０の両端側には、カム３０ａが形成されており、ヘッド保持部材３３には、カム３０ａに当接するローラ４３が回転可能に取り付けられている。
【００３３】
本形態では、モータ３８が駆動して、リードスクリュー２９が回転すると、ガイド軸２８に沿って、磁気ヘッド１４がキャリッジ２７とともにロール紙３の幅方向へ移動する。ロール紙３の幅方向における両端側では、カム３０ａにローラ４３が当接しており、図５の二点鎖線で示すように、磁気ヘッド１４は、ネジリコイルバネ４２の付勢力に抗して搬送路７よりも下側へ退避している。この状態の磁気ヘッド１４がキャリッジ２７とともにロール紙３の幅方向へ移動して、カム３０ａからローラ４３が外れると、磁気ヘッド１４がネジリコイルバネ４２の付勢力で上昇して、ロール紙３の裏面に接触する。すなわち、磁気ヘッド１４がロール紙３の裏面の磁気ストライプに接触する。
【００３４】
ロール紙３に接触しながらキャリッジ２７と一緒にロール紙３の幅方向へ移動する磁気ヘッド１４は、ロール紙３の裏面の磁気ストライプに磁気データを記録する。すなわち、ロール紙３には、磁気ヘッド１４によってロール紙３の幅方向に配列される磁気データが記録される。また、磁気データの記録後にロール紙３に接触しながらキャリッジ２７と一緒にロール紙３の幅方向へ移動する磁気ヘッド１４は、磁気ヘッド１４によってロール紙３の磁気ストライプに磁気データが適切に記録されたのか否かを確認するために、ロール紙３の磁気ストライプに記録された磁気データを読み取る。すなわち、磁気ヘッド１４は、磁気データの記録と読取りを行う。
【００３５】
上昇した状態の磁気ヘッド１４の、ロール紙３の幅方向への移動範囲は、ロール紙３の幅Ｈ以上となっており、磁気ヘッド１４は、ロール紙３の幅方向の全域で、ロール紙３に磁気データを記録することが可能になっている。磁気ヘッド１４の上側には、磁気ヘッド１４とロール紙３とを所定の接触圧で接触させるための対向部材４５が配置されている。なお、磁気ヘッド１４は、ロール紙３の幅方向における一端側のみで搬送路７より下側へ退避しても良いし、ロール紙３の幅方向における両端側で搬送路７より下側へ退避しなくても良い。
【００３６】
切断機構１６は、切断刃と、この切断刃を移動させる移動機構とを備えている。上述のように、切断機構１６は、磁気ヘッド１２、１４よりも発券口５側に配置されており、磁気ヘッド１２、１４によって磁気データが記録された後のロール紙３を切断する。なお、切断機構１６と発券口５との間には、図示を省略するフラッパが設置されており、切断機構１６で切断されて形成された券２が発券口５に向かって搬送される搬送経路と、切断機構１６で切断されて形成された券２が廃券回収箱（図示省略）に向かって搬送される搬送経路とに、切断機構１６と発券口５との間の券２の搬送経路を切り替えることが可能になっている。
【００３７】
以上のように構成された発券装置１では、発券装置１が組み込まれる自動券売機から発券装置１に小券２Ａの発行指令が入力されると、ヘッド移動機構１５が起動し、磁気ヘッド１４によってロール紙３に磁気データが記録されるとともに、磁気ストライプに記録された磁気データが磁気ヘッド１４によって読み取られる。その後、ロール紙搬送機構６および切断機構１６は、長辺方向の幅Ｈ１がロール紙３の幅Ｈと等しい長方形状の小券２Ａが形成されるように、ロール紙３を搬送して切断する。具体的には、図２の破線で示す位置で、ロール紙３を切断する。小券２Ａでは、ロール紙３の幅に配列される磁気データが記録されている。切断機構１６で切断されて形成された小券２Ａは、発券口５から発行される。
【００３８】
一方、発券装置１が組み込まれる自動券売機から発券装置１に大券２Ｂの発行指令が入力されると、ロール紙搬送機構６が起動し、磁気ヘッド１２によってロール紙３に磁気データが記録されるとともに、記録された磁気データが磁気ヘッド１３によって読み取られる。その後、ロール紙搬送機構６および切断機構１６は、短辺方向の幅Ｈ２がロール紙３の幅Ｈと等しい長方形状の大券２Ｂが形成されるように、ロール紙３を搬送して切断する。具体的には、図２の二点鎖線で示す位置で、ロール紙３を切断する。大券２Ｂでは、ロール紙３の搬送方向に配列される磁気データが記録されている。切断機構１６で切断されて形成された大券２Ｂは、発券口５から発行される。
【００３９】
このように、発券装置１では、ロール紙搬送機構６および切断機構１６は、磁気ヘッド１４によってロール紙３に磁気データが記録されると、小券２Ａが形成されるようにロール紙３を搬送して切断し、磁気ヘッド１２によってロール紙３に磁気データが記録されると、大券２Ｂが形成されるようにロール紙３を搬送して切断する。
【００４０】
また、ロール紙搬送機構６は、切断機構１６によるロール紙３の切断後に、ロール紙３をロール紙保持部４側に巻き戻す。具体的には、ロール紙３の先端が磁気ヘッド１２よりもロール紙保持部４側に配置されるまで、あるいは、ロール紙３の先端側がロール紙３の搬送方向において磁気ヘッド１４と対向部材４５との間に配置されるまで、ロール紙搬送機構６は、ロール紙３をロール紙保持部４側に巻き戻す。巻戻し後のロール紙３の所定の位置にはたるみが生じている。具体的には、ロール紙３の搬送方向におけるフィードローラ対２０とロール紙保持部４との間にたるみが生じている。
【００４１】
（本形態の主な効果）
以上説明したように、本形態の発券装置１は、ロール紙３の幅方向に磁気ヘッド１４を移動させるヘッド移動機構１５を備えており、磁気ヘッド１４によって、ロール紙３の幅方向に配列される磁気データがロール紙３に記録されている。すなわち、本形態では、特許文献１に記載の自動発券機のように反転部が設置されていなくても、ロール紙３の幅方向に配列される磁気データをロール紙３に記録することができる。そのため、本形態では、ロール紙３の幅方向に配列される磁気データが記録された小券２Ａが発行される場合であっても、搬送路７の長さを短縮することが可能になる。
【００４２】
また、本形態では、磁気ヘッド１２によって、ロール紙３の搬送方向に配列される磁気データがロール紙３に記録されているため、搬送路７の長さを短縮しつつ、形状の異なる２種類の券２（小券２Ａおよび大券２Ｂ）を発行することが可能になる。また、本形態では、共通の切断機構１６によってロール紙３が切断されて小券２Ａおよび大券２Ｂが形成されているため、小券２Ａを形成するための切断機構と大券２Ｂを形成するための切断機構とが個別に設けられている場合と比較して、発券装置１の構成を簡素化することが可能になるとともに、搬送路７の長さをより短縮することが可能になる。
【００４３】
本形態では、磁気ヘッド１４によって磁気データが記録された後のロール紙３が切断機構１６によって切断されており、磁気ヘッド１４でロール紙３に磁気データを記録するときには、ロール紙搬送機構６によってロール紙３が把持されている。そのため、本形態では、切断機構１６で切断されて形成された小券２Ａの、ロール紙３の搬送方向の幅は狭くなっているが、磁気ヘッド１４でロール紙３に磁気データを記録するときには、ロール紙搬送機構６によってロール紙３を把持してロール紙３のずれを抑制することが可能になる。したがって、本形態では、磁気ヘッド１４によってロール紙３に記録される磁気データの記録位置のずれを抑制することが可能になる。すなわち、本形態では、発券口５から発行される小券２Ａの磁気データの記録位置のずれを抑制することが可能になる。
【００４４】
本形態では、ロール紙搬送機構６は、切断機構１６によるロール紙３の切断後に、ロール紙３の先端が磁気ヘッド１２よりもロール紙保持部４側に配置されるまで、あるいは、ロール紙３の先端側がロール紙３の搬送方向において磁気ヘッド１４と対向部材４５との間に配置されるまで、ロール紙３をロール紙保持部４側に巻き戻している。そのため、本形態では、次の券２の発行時に、ロール紙３の先端側に磁気データを記録することが可能になる。したがって、本形態では、磁気ヘッド１２、１４よりも発券口５側に切断機構１６が配置されていても、ロール紙３を無駄なく使用することが可能になる。また、本形態では、ロール紙３を巻き戻す際に所定の制御を行うことで、ロール紙３の先端側と磁気ヘッド１２、１４とを精度良く位置合わせすることが可能になる。
【００４５】
また、本形態では、巻戻し後のロール紙３の所定の位置にたるみが生じているため、ロール紙保持部４に保持されるロール紙３のロール部３ａの重量が重くても、次の券２を発行する際の、ロール紙搬送機構６の起動時の負荷を軽減することが可能になる。
【００４６】
（他の実施の形態）
上述した形態は、本発明の好適な形態の一例ではあるが、これに限定されるものではなく本発明の要旨を変更しない範囲において種々変形実施が可能である。
【００４７】
上述した形態では、ロール紙搬送機構６は、切断機構１６によるロール紙３の切断後に、ロール紙３をロール紙保持部４側に巻き戻しているが、ロール紙搬送機構６は、切断機構１６によるロール紙３の切断後に、ロール紙３を巻き戻さなくても良い。また、上述した形態では、磁気ヘッド１２、１３は、ロール紙３の搬送方向において、サーマルヘッド１１と磁気ヘッド１４との間に配置されているが、磁気ヘッド１２、１３は、ロール紙３の搬送方向において、磁気ヘッド１４と切断機構１６との間に配置されていても良い。
【００４８】
上述した形態において、発券装置１は、切断機構１６に加えて、磁気ヘッド１２、１３よりもロール紙保持部４側に配置される切断機構を備えていても良い。この切断機構は、たとえば、ロール紙３の搬送方向において、フィードローラ対２０とサーマルヘッド１１との間に配置されている。この場合には、大券２Ｂが発行されるときに、この切断機構によってロール紙３が切断され、切断後のロール紙３（券紙）に磁気ヘッド１２によって磁気データが記録される。一方、この場合であっても、小券２Ａが発行されるときには、切断機構１６によってロール紙３が切断される。また、上述した形態において、発券装置１は、磁気ヘッド１２、１３を備えていなくても良い。この場合には、たとえば、発券装置１では、小券２Ａのみが発行される。
【００４９】
上述した形態では、ロール紙搬送機構６は、複数の搬送ローラ対２１を備えているが、ロール紙搬送機構６は、全ての搬送ローラ対２１に代えて、あるいは、いくつかの搬送ローラ対２１に代えて、ロール紙３に接触してロール紙３を搬送するベルト等を備えていても良い。また、ロール紙搬送機構６は、全ての搬送ローラ対２１に代えて、あるいは、いくつかの搬送ローラ対２１に代えて、ロール紙３を把持して移動する把持機構を備えていても良い。
【００５０】
上述した形態において、切断機構１６と発券口５との間に配置される搬送ローラ対２１は、図６に示すように、切断機構１６で切断された後の券２の、ロール紙３の幅方向における一端側に接触して、券２を発券口５まで搬送しても良い。この場合には、切断機構１６と発券口５との間に複数の搬送ローラ対２１が配置されており、複数の搬送ローラ対２１のうちの、たとえば、１個の搬送ローラ対２１が、発券口５よりも発券装置１の前側に突出する突出部５０の中に配置されている。
【００５１】
このように構成されていると、小券２Ａが発券口５から発行される場合であっても、突出部５０の中に配置される搬送ローラ対２１に把持された状態の小券２Ａの全部または大半部分を発券口５から露出させることが可能になる。したがって、小券２Ａが発券口５から発行される場合であっても、使用者は、突出部５０の中に配置される搬送ローラ対２１に把持された状態の小券２Ａを掴んで発券装置１から引き抜くことが可能になる。この場合には、切断機構１６と発券口５との間に配置される複数の搬送ローラ対２１によって、切断機構１６で切断された後の券２の、ロール紙３の幅方向における一端側に接触して券２を発券口５まで搬送する切断後搬送部５１が構成されており、切断後搬送部５１の一部である１個の搬送ローラ対２１は、突出部５０の中に配置されている。
【００５２】
なお、切断後搬送部５１は、ベルト等によって構成されても良い。この場合には、ベルトが、切断機構１６で切断された後の券２の、ロール紙３の幅方向における一端側に接触して、券２を発券口５まで搬送する。また、ベルトの一部は、突出部５０の中に配置されている。また、切断後搬送部５１は、切断機構１６で切断された後の券２を把持して移動する把持機構であっても良い。
【００５３】
上述した形態において、磁気ヘッド１２をロール紙３の搬送方向に移動させることも可能である。この場合には、発券装置１は、磁気ヘッド１２をロール紙３の搬送方向に移動させるヘッド移動機構を備えている。このヘッド移動機構は、ヘッド移動機構１５と同様に構成されている。この場合には、ロール紙３を停止させた状態で、ロール紙３の搬送方向に配列される磁気データを記録することが可能になるため、搬送路７の長さをより短縮することが可能になる。また、この場合には、磁気ヘッド１２によって、ロール紙３の磁気ストライプに記録された磁気データの読取りも可能になるため、磁気ヘッド１３が不要になる。
【符号の説明】
【００５４】
１  発券装置
２  券
３  ロール紙
４  ロール紙保持部
５  発券口
６  ロール紙搬送機構
１２  磁気ヘッド（第２の磁気ヘッド）
１４  磁気ヘッド
１５  ヘッド移動機構
１６  切断機構
５０  突出部
５１  切断後搬送部
Ｈ  ロール紙の幅
Ｈ１  長辺方向の幅
Ｈ２  短辺方向の幅
【図１】
2017199271.tif 000003
【図２】
2017199271.tif 000004
【図３】
2017199271.tif 000005
【図４】
2017199271.tif 000006
【図５】
2017199271.tif 000007
【図６】
2017199271.tif 000008